(57)【要約】【課題】  テンプル折畳み時のフレーム形態を薄型化でき、その折畳み時、及び再使用時に伴う作業も簡単で、しかも、着用時のフィット調節も容易に行える薄型折畳み式眼鏡フレームのノーズパッド収納機構を提供すること。【解決手段】  フロント枠ＦのブリッジＢ近傍に、先端にパッド本体１を連結部11によって首振り揺動自在に連結したパッドアーム２の基部を固設する一方、前記パッドアーム２の中域部には迂曲部22を設け、パッド本体１を前記迂曲部22の凹入部22aの方向へ回すことによりパッド本体１の連結部11がパッドアーム２との接続部を軸回りしてパッド本体１をパッドアーム２の迂回せる凹入部22aの挟間に折込み可能とした。【選択図】  図１
2009069537.tif 000002
【特許請求の範囲】
【請求項１】
フロント枠ＦのブリッジＢ近傍に、先端にパッド本体１を連結部11によって首振り揺動自在に連結したパッドアーム２の基部が固設されている一方、前記パッドアーム２の中域部には迂曲部22が設けられ、パッド本体１を前記迂曲部22の凹入部22aの方向へ回すことによりパッド本体１の連結部11がパッドアーム２との接続部を軸回りしてパッド本体１をパッドアーム２の迂回せる凹入部22aの挟間に折込み可能であることを特徴とする薄型折畳み式眼鏡フレームのノーズパッド収納機構。
【請求項２】
パッド本体１の連結部11が伸縮性を有する弾性材料から形成されていることを特徴とする請求項１記載の薄型折畳み式眼鏡フレームのノーズパッド収納機構。
【請求項３】
パッド本体１の連結部11において、弾性変形自在なエンジニアリングプラスチック材料を採用したことを特徴とする請求項２記載の薄型折畳み式眼鏡フレームのノーズパッド収納機構。
【請求項４】
パッド本体１の連結部11が屈曲した板バネ状に形成されていることを特徴とする請求項２または３に記載の薄型折畳み式眼鏡フレームのノーズパッド収納機構。
【請求項５】
パッド本体１の連結部11に雄型蝶片11aを配設し、この雄型蝶片11aをパッドアーム２の先端に設けた雌型蝶片23に挿入してピボットでヒンジ連結することによりパッド本体１をパッドアーム２に対して首振り揺動自在に構成したことを特徴とする請求項１記載の薄型折畳み式眼鏡フレームのノーズパッド収納機構。
【発明の詳細な説明】
【技術分野】
【０００１】
本発明は、折畳み式眼鏡フレームのノーズパッド構造の改良、詳しくは、テンプル折畳み時のフレーム形態を薄型化でき、その折畳み時、及び再使用時に伴う作業も簡単で、しかも、着用時のフィット調節も容易に行える薄型折畳み式眼鏡フレームのノーズパッド収納機構に関するものである。
【背景技術】
【０００２】
周知のとおり、眼鏡フレームに関しては、眼鏡ケースや上着のポケットに収容して持ち運べるようにテンプルを折り畳める形態のものが一般的である。
【０００３】
そして、このような折畳み式眼鏡においては、持ち運びの利便性を考慮すると折畳み時の形態をできるだけ薄型にすることが必要とされるが、内側に折り畳んだテンプルとノーズパッドとが干渉してしまうため、一定以上薄くすることが難しく、この制約から逃れるためには、例えば、ノーズパッドを着脱自在にするような工夫が必要となる（例えば、特許文献１参照）。
【０００４】
ところが、上記着脱自在なノーズパッド構造を採用した場合には、テンプルの折畳み時や再使用時の度にノーズパッドを眼鏡フレームから毎回着脱する必要があり、しかも、取り外したノーズパッドに関しては、眼鏡フレーム本体とは別に収容して管理する必要がある等、大変煩わしかった。
【０００５】
また、上記の従来技術においては、着用者の鼻形状に応じてパッド位置を上下に動かすことにより、両パッドの鼻への接触位置を調節してフィット感を向上させることが可能であったが、その調節作業は非常に面倒なものであった。
【特許文献１】特開平８−２０１７３２号公報（第２−５頁、第１〜５図）
【発明の開示】
【発明が解決しようとする課題】
【０００６】
本発明は、上記の如き問題に鑑みて為されたものであり、その目的とするところは、テンプル折畳み時のフレーム形態を薄型化でき、その折畳み時、及び再使用時に伴う作業も簡単で、しかも、着用時のフィット調節も容易に行える薄型折畳み式眼鏡フレームのノーズパッド収納機構を提供することにある。
【課題を解決するための手段】
【０００７】
本発明者が、上記課題を解決するために採用した手段を添付図面を参照して説明すれば次のとおりである。
【０００８】
即ち、本発明は、フロント枠ＦのブリッジＢ近傍に、先端にパッド本体１を連結部11によって首振り揺動自在に連結したパッドアーム２の基部を固設する一方、前記パッドアーム２の中域部には迂曲部22を設け、パッド本体１を前記迂曲部22の凹入部22aの方向へ回すことによりパッド本体１の連結部11がパッドアーム２との接続部を軸回りしてパッド本体１をパッドアーム２の迂回せる凹入部22aの挟間に折込み可能とした点に特徴がある。
【０００９】
また、本発明においては、上記課題を解決するために、必要に応じて上記手段に加え、パッド本体１の連結部11を、伸縮性を有する弾性材料から形成するという技術的手段を採用することができる。
【００１０】
また、本発明においては、上記課題を解決するために、必要に応じて上記手段に加え、パッド本体１の連結部11において、弾性変形自在なポリフェニレンサルファイド(PPS)やポリアセタール(POM)などのエンジニアリングプラスチックを使用するという技術的手段を採用することができる。
【００１１】
また、本発明においては、上記課題を解決するために、必要に応じて上記手段に加え、パッド本体１の連結部11を屈曲した板バネ状に形成するという技術的手段を採用することができる。
【００１２】
また、本発明においては、上記課題を解決するために、必要に応じて上記手段に加え、パッド本体１の連結部11に雄型蝶片11aを配設し、この雄型蝶片11aをパッドアーム２の先端に設けた雌型蝶片23に挿入してピボットでヒンジ連結することによりパッド本体１をパッドアーム２に対して首振り揺動自在に構成するという技術的手段を採用することができる。
【発明の効果】
【００１３】
本発明では、眼鏡フレームに固設したパッドアームの先端に、パッド本体の連結部を首振り揺動自在に連結し、パッドアームの中域部には迂曲部を設けて、この迂曲部の凹入部の挟間に、パッド本体を折込み可能に構成したことにより、折り畳み前にパッド本体を迂曲部に収納しておけば、折り畳んだテンプルとパッド本体との干渉を回避することができるため、折り畳み時のフレーム形態をより薄型化することが可能となる。
【００１４】
そしてこれにより、フレームを収容するための眼鏡ケースのスリム化も同時に図れるため、持ち運びにおける利便性を向上することができる。
【００１５】
また、パッド本体の収納や持出しは簡単な回動操作で行うことができるため、折畳み時や再使用時に伴う作業も煩わしくない。
【００１６】
そしてまた、眼鏡の装着時において、装着者の鼻形状に応じてパッド本体を揺動させてパッド面の角度調節を行うことも可能であるため、フィット調整も容易である。
【００１７】
したがって、本発明により、持ち運びに便利で、かつ、使用面においても好都合な眼鏡フレームを提供できることから、本発明の実用的利用価値は頗る高い。
【発明を実施するための最良の形態】
【００１８】
『実施例１』
まず、本発明の実施例１について、図１から図４に基いて説明する。まず、符号１で指示するものは、パッド本体であり、符号２で指示するものは、パッドアームである。
【００１９】
しかして、本実施例の構成を以下に説明する。まず本実施例では、パッド本体１の連結部11を、パッドアーム２先端のソケットボックス21に接続すると共に、パッドアーム２の基部をフロント枠ＦにおけるブリッジＢ近傍のリムＲに固着した（図１、図２参照）。
【００２０】
なお本実施例では、フロント枠Ｆにフルリム型のメタルフレームを採用すると共に、パッドアーム２のアーム本体には金属線材を使用している。
【００２１】
また、前記パッド本体１の連結部11に関しては、柔軟で伸縮性を有する弾性材料(本実施例では、「シリコンゴム」)を使用して屈曲した板バネ状に形成した。
【００２２】
これにより、この連結部11を変形せしめてパッド本体１をパッドアーム２に対して首振り揺動させることができ、しかも、装着時において連結部11の屈曲部位が弾性変形することによりクッションの役割を果たして当接する鼻への圧迫感を解消し、良好な装用感を実現できる。
【００２３】
なお、パッド本体１の連結部11に使用する弾性材料としては、シリコンゴムに限らず他のエラストマー材料を採用してもよく、また、弾性変形自在なポリフェニレンサルファイドやポリアセタールなどのエンジニアリングプラスチックも採用可能である。
【００２４】
そして更に、パッドアーム２の中域部には迂曲部22を設け、前記パッド本体１を迂曲部22の凹入部22aの方向に動かして、連結部11を伸長変形させながらパッドアーム２との接続部を中心に軸回りさせて、パッド本体１を凹入部22aの挟間に折込み・固定可能とした（図３参照）。
【００２５】
なお本実施例では、パッド本体１を凹入部22a内に挿入した際、金属線材から成るパッドアーム２の迂曲部22が弾性的に拡開して、パッド本体１に対する挟着力を発生させている。
【００２６】
上記のように構成したことによって、図４に示すように、テンプル折り畳み前にパッド本体１を変曲部22に収納しておくことで、折り畳んだテンプルＴとパッド本体１との干渉を回避できるため、折り畳み時のフレーム形態をより薄型化することができる。
【００２７】
また、パッド本体１の収納や持出しは簡単な回動操作で行えるため、煩わしい作業が伴うこともない。
【００２８】
加えて、眼鏡の装着時に、装着者の鼻形状に応じてパッド本体１が揺動することで、パッド面の角度調節を行うことも可能である。
【００２９】
『実施例２』
次に、本発明の実施例２について図５及び図６に基いて以下に詳細に説明する。本実施例では、パッド本体１に雄型蝶片11aを備えた連結部11を固着し、この雄型蝶片11aをパッドアーム２の先端に設けた雌型蝶片23に挿入してピポッドでヒンジ連結することによりパッド本体１をパッドアーム２に対して首振り揺動自在に構成した（図５参照）。
【００３０】
なお本実施例では、パッドアーム２の基部を固着するフロント枠Ｆにハーフリム型のプラスチックフレームを採用している。
【００３１】
上記のように構成したことにより、図６(a)に示すように、パッドアーム２の中域部に形成した切欠状の迂曲部22の方にパッド本体１を動かせば、パッド本体１がピボットを軸に回動して、図６(b)に示すように、迂曲部22の凹入部22aの挟間にパッド本体１を折込み固定することが可能である。
【００３２】
このようにパッド本体１とパッドアーム２の接続手段としてヒンジ機構を場合においては、パッドアーム２の凹入部22aの挟間に折込んだパッド本体１を固定状態としたことにより、持ち運びの際に振動によってパッドアーム２が空回りしてしまうことはないため、ヒンジ連結部に磨耗によるガタつきが生じる心配も少ない。
【００３３】
また本実施例では、パッド本体１を柔軟なシリコンゴム材料で作製したことにより、パッド本体１を迂曲部22の凹入部22aに挿入した際、パッド本体１そのものが弾性変形して挟着性を向上させている。
【００３４】
なお、パッド本体１自身の変形性を高めるために、パッド本体１に中空構造を採用することもできる。
【００３５】
また、パッド本体１とパッドアーム２の接続に用いるヒンジ機構に関しては、本実施例とは逆にパッド本体１の連結部11に雌型蝶片を配設して、パッドアーム２の先端部の雄型蝶片を差し込む構造であってもよい。
【００３６】
本発明は、概ね上記のように構成されるが、図示の実施形態に限定されるものでは決してなく、「特許請求の範囲」の記載内において種々の変更が可能であって、例えば、パッドアーム２は、板状部材を屈曲させて迂曲部22を形成したような形状等であってもよく、また、パッド本体１とパッドアーム２の接続手段においても、パッド本体１が首振り揺動可能であれば、他の機構を採用してもよい。
【００３７】
また、本発明に係る機構は、フルリム型やハーフリム型の眼鏡フレームに限らず、リムレス型の眼鏡フレーム等にも適用することができ、何れも本発明の技術的範囲に属する。
【産業上の利用可能性】
【００３８】
近年においては折畳み型の眼鏡が主流であり、これらの折畳み眼鏡は不使用時において眼鏡ケースに収容してバッグや上着のポケットに入れて持ち運ぶことが多い。そのため、眼鏡ケースは、バッグ内での占有スペースが小さく、上着のポケットが盛り上がらない程度に薄型であることが望ましい。
【００３９】
そのような中で、本発明の薄型折畳み式眼鏡フレームのノーズパッド収納機構は、不使用時のフレーム形態を薄型化して眼鏡ケースをスリム化することができ、使用面でも非常に好都合な有用な技術であることから、市場における需要は大きく、本発明の産業上の利用価値は非常に高いと云える。
【図面の簡単な説明】
【００４０】
【図１】本発明の実施例１における折畳み眼鏡のノーズパッド収容機構を表わす全体斜視図である。
【図２】本発明の実施例１における折畳み眼鏡のノーズパッド収容機構を表わす拡大上面図である。
【図３】本発明の実施例１における折畳み眼鏡のノーズパッド収容機構の使用状態を表わす拡大上面図である。
【図４】本発明の実施例１における折畳み眼鏡のノーズパッド収容機構の使用状態を表わす全体上面図である。
【図５】本発明の実施例２における折畳み眼鏡のノーズパッド収容機構を表わす拡大上面図である。
【図６】本発明の実施例２における折畳み眼鏡のノーズパッド収容機構の使用状態を表わす拡大上面図である。
【符号の説明】
【００４１】
１  パッド本体
11  連結部
11a  雄型蝶片
２  パッドアーム
21  ソケットボックス
22  迂曲部
22a  凹入部
23  雌型蝶片
Ｆ  フロント枠
Ｂ  ブリッジ
Ｔ  テンプル
Ｒ  リム
【図１】
2009069537.tif 000003
【図２】
2009069537.tif 000004
【図３】
2009069537.tif 000005
【図４】
2009069537.tif 000006
【図５】
2009069537.tif 000007
【図６】
2009069537.tif 000008